(57)【要約】      （修正有）【課題】重量選別機の設置高さを調節するための調節脚において、ラインの高さに合わせて設置高さが容易に変更でき、調節脚の接続部にゆるみが生じない高さ調節装置を提供する。【解決手段】重量選別機１の計量部１０を支持する架台と、該架台を支持する複数の調節脚７とからなる計量部を支持するメインフレーム２と該メインフレームに着脱自在に設けた調節脚であって、該メインフレームの下端部には第１の緩み止め連結部が設けられ、該調節脚の上端には第２の連結部が設けられ、更に調節脚の下端には第３の緩み止め連結部が設けられており、高さ調整用ジャッキ脚９を設けた構成としている。【選択図】図１
0003171810.tif 000002
【実用新案登録請求の範囲】
【請求項１】
重量選別機の計量部を支持する架台と、該架台を支持する複数の調節脚とからなる計量部支持フレームであって、該支持フレームはパイプ状部材にてメインフレームとして構成されており、該メインフレームに設けられた雌ねじ部からなる第１の緩み止め連結部と、該第１の緩み止め連結部は、上記パイプ状のメインフレームのパイプ径と同径の円盤と、該円盤の中央にボルト貫通孔を設け、該貫通穴と同心になるように固着してなる緩み止めナットを有する雌ねじ部がメインフレームの下端部に固着された構造であり、更に調節脚であって、上記パイプ状のメインフレームのパイプ径と同径の調節脚と、該調節脚の上部には上記第１の緩み止め連結部に螺合する第２の連結部を有し、第２の連結部は該パイプ径と同径の円盤と該円盤の中央にボルト貫通孔を設け、該貫通穴にボルトを貫通させた後上記円盤とボルトの頭とを固着した雄ねじ部を有し、該円盤は上記調節脚の上部に固着され構造であり、更に該調節脚の下部には該パイプ径と同径の円盤と該円盤の中央にボルト貫通孔を設け、該貫通穴と同心になるように固着してなる緩み止めナットを有する雌ねじ部を有し、該円盤は上記調節脚の下部に固着された第３の緩み止め連結部を有し、該第３の連結部には調節ボルト（ジャッキ脚）を螺合してなる重量選別機の高さ調節装置
【考案の詳細な説明】
【技術分野】
【０００１】
この考案は、重量選別機の設置高さを調節するための架台の調節脚に関する。
【背景技術】
【０００２】
従来より、重量選別機は計量コンベアがロードセルに支持された状態で架台上に設置されており、この架台には表示部を固定して設置されている。この種の重量選別機は、架台を支持する各脚部にねじ式の高さ調整装置が設けられている。この高さ調整装置は、該重量選別機とその前後の搬送装置との搬送ラインを段差なく連通するように架台の各脚部の下端部に雌ねじ部を設け、これら各雌ねじ部に高さ調整ボルトを螺合させている。
【０００３】
この高さ調整装置によって、計量コンベアの搬送面を既設の搬入および搬出コンベアの搬送面の高さに合わせることができる。計量コンベアの高さを変更するときは、４つの各高さ調整ボルトを各脚部の下端部から伸長、又は短縮させる方向に回して所望の高さに調整することができるようになっている。
【０００４】
しかし、従来のねじ式の高さ調整装置では、計量コンベアの搬送面の高さを高くするために高さ調整ボルトを脚部の下端部から伸長させると、長くするに従って、設置されている計量コンベアの剛性が低くなって振動が発生して計量精度が低下するという問題がある。つまり、高さ調整ボルトは、外周面に雄ねじが設けられている略円柱形ネジ棒である。剛性を上げるためにこのネジ棒を太くすると、重量が重くなるし、この高さ調整ボルトが螺合する雌ねじ部の外径も大きくなって嵩だかくなり、高さ調整ボルトを太くするにも限界がある。そして、計量コンベアの高さを変更したときは、計量コンベア、表示部、および架台から成る重量選別機の計量装置全体の高さも変わるので、表示部が作業者にとって見にくい高さとなることがある。
【０００５】
特許文献１は、本出願の出願人から出願されてものであるが、被支持体を比較的高い高さに設置するときは、被支持体と、第１の雄ねじ部が螺合する第１の雌ねじ部との間に延長部材を取り付ける。これにより、この延長部材の長さの分だけ第１の雄ねじ部を第１の雌ねじ部から長く延ばすように調整することができる。その結果、第１の雄ねじ部を太くすることなく、設置される被支持体の剛性が低くならないようにすることができる。剛性を低下させずに広い範囲で計量部の高さを調整することができるようになっている。
【０００６】
また、特許文献２では、脚を有する部品において、脚部に使用する高さ調整および水平を調整をするためにボルト部とナット部が組み合わさったアジャスターの改良に関わるものが記載されている。
【先行技術文献】
【特許文献】
【０００７】
【特許文献１】特許第４５７０７１１号公報
【特許文献２】実開昭６０−８３４４６号公報
【考案の概要】
【考案が解決しようとする課題】
【０００８】
上述したように、重量選別機は主に生産ラインに設置され、前段の装置から搬送されてくる物品の重量検査を行う装置である。その構成は、例えば、図４に示すように、金属検出装置、送込コンベヤ、計量コンベヤそして振り分け装置などである。物品は前段の装置からこれらのコンベヤを通過して重量選別機のコンベヤに送られる。したがって、前段のコンベヤと重量選別機のコンベヤおよび振り分け装置のコンベヤの水平ライン高さは同一である必要がある。高さの増減が小さい場合は、ジャッキ脚で高さ調整できるが、生産ラインの大幅な変更によって高さ調整範囲を超えた場合には、延長部材を交換することでライン高さを調整していた。しかし、従来の高さ調整方法では、計量部支持フレームに高さ調整用延長部材やジャッキ脚を螺合して取り付け交換することはできるが、重量選別装置を長時間使用していると、当該螺合部が緩んできて重量選別装置全体に振動が発生してくると言う問題があった。
【課題を解決するための手段】
【０００９】
本考案は、上述したような課題を解決するために成されたもので、重量選別機の計量部を支持する架台と、該架台を支持する複数の調節脚とからなる計量部支持フレームであって、該支持フレームはパイプ状のメインフレームで構成されており、該メインフレームに設けられた雌ねじからなる第１の緩み止め連結部と、該雌ねじからなる第１の緩み止め連結部は、上記パイプ状のメインフレームのパイプ径と同径の円盤と、該円盤の中央にボルト貫通穴を設け、該貫通穴と同心になるように固着された緩み止めナットとを有する雌ねじ部がメインフレームの下端部に固着された構造であり、更に調節脚であって、上記パイプ状のメインフレームのパイプ径と同径の調節脚と、該調節脚の上部には上記第１の緩み止め連結部に螺合する第２の連結部を有し、第２の連結部は該パイプ径と同径の円盤と該円盤の中央にボルト貫通穴を設け、該貫通穴にボルトを貫通させた後上記円盤とボルト頭とを固着した雄ねじを有し、該円盤は上記調節脚の上部に固着された構造としている。更に該調節脚の下部には該パイプ径と同径の円盤と該円盤の中央にボルト貫通穴を設け、該貫通穴と同心になるように固着された緩み止めナットとを有する雌ねじ部を有し、該円盤は上記調節脚の下部に固着された第３の緩み止め連結部を有し、該第３の連結部には調節ボルト（ジャッキ脚）を螺合した調節ボルト有する構造とにより構成された重量選別機の高さ調節装置である。
【考案の効果】
【００１０】
従来は、重量選別機のラインアップにおいて前後装置との高さ調整がジャッキ脚の調整範囲を超えた場合は架台を再製作していたためコストアップになっていた。また、調節脚を取り替えて高さを調節する場合においても調節脚が緩む虞があった。
【００１１】
本考案は、調節脚を種々取り替えても、メインフレームの第１連結部に緩み止めナットからなる緩み止め連結部を設け、該緩み止め連結部を設けた第１連結部に調節脚の上部の第２連結部の雄ねじを螺合することにより、第１連結部と調節脚の上部の第２連結部とを強固に接続することができる。また、調節脚の下端部の第３の連結部にも緩み止めナットとを有する雌ねじ部を設けたので、第３の連結部に螺合する高さ調整用ジャッキ脚も共に長期間の使用中においても、これら接続部の緩みが生ぜず無用な振動を誘起することがないので安定した計量精度が維持できるという効果がある。
【図面の簡単な説明】
【００１２】
【図１】本考案の重量選別機の全体を背後から見た外観斜視図
【図２】本考案の調節脚部の詳細斜視図
【図３】本考案の調節脚部を取り除いた実施例
【図４】従来の重量選別機のラインアップを示す実施例
【考案を実施するための形態】
【００１３】
以下、図面に従って本考案の実施の形態について説明する。
【実施例】
【００１４】
図１、図２及び図３において共通の構成部位は同一番号で示す。１は重量選別機、２はメインフレーム、３は緩み止めナット、４はパイプ径と同径の円盤、５はボルト（雄ねじ部）６は調節脚側のパイプ径と同径の円盤、７は調節脚、８は緩み止めナット、８ａはパイプ径と同径の円盤、９はジャッキ脚、１０は計量部である。図４は従来の重量選別機のラインアップを示す一実施例である。１１はコモンフレーム、１２は計量コンベヤ、１３は計量装置、１４は送込コンベヤ、１６は振り分け装置のコンベヤ、１７は金属検出器、１８は金属検出器用コンベヤ、２０は高さ調節用ジャッキ脚である。
【００１５】
図１及び図２は、本考案の重量選別機の高さ調節脚に関するものである。従って、考案の要部である高さ調節脚について説明する。
【００１６】
本考案においてメインフレーム２はパイプ形状を採用した四脚構造である。図３に示すように調節脚を設けずメインフレーム２に直接ジャッキ脚９を螺合して背の低い構成とすることもできるが調節脚７を設けた構造について説明する。
【００１７】
メインフレーム２はパイプ構造であり、メインフレームを構成するパイプ径と同径の円盤中央にボルト貫通穴設け、この穴と同心に緩み止めナット３を溶接した緩み止め連結部がメインフレームの下端部２ａに溶接にて固着されており第１の緩み止め連結部を構成している。一方、調節脚もパイプ構造である。調節脚のパイプ径と同径の円盤６の中央にはボルト５が貫通できる穴を設け、ボルト５を貫通させたのち、該ボルト５の頭と円盤６とは溶接にて固着される。該円盤６は調節脚の上端部７ａに溶接にて固着されており調節脚の上部は雄ねじ部を構成する第２の連結部である。更に、調節脚の下端部７ｂには、調節脚パイプ径と同径の円盤８ａと該円盤８ａの中央にボルト貫通孔を設けこの貫通穴と同心に緩み止めナットを溶接にて固着することにより第３の緩み止め連結部を構成している。
【００１８】
本考案の調節脚の組み立て順序を説明する。先ず、４本の調節脚７の第３緩み止め連結部に周知のジャッキ脚を螺合する。次に調節脚７の上端部をメインフレーム２の下端部２ａの第１の緩み止め連結部にそれぞれ螺合する。螺合する場合は緩み止めナット８の部分をスパナ等で挟み締め付けるのが望ましい。またこのような調節脚は長短適宜４本（４組）ずつ、例えば１００mm、間隔で複数用意して生産ラインの状況に合わせて選択することもできる。
【産業上の利用可能性】
【００１９】
本考案の高さ調節脚は重量選別機に利用した一例を示したが、ローラコンベヤなどの搬送ラインを構築する場合などにも利用できる。
【符号の説明】
【００２０】
２  メインフレーム
２ａ  メインフレームの下端部
３  緩み止めナット
４  パイプ径と同径の円盤
５  ボルト（雄ねじ）
６  調節脚側のパイプ径と同径の円盤
７  調節脚
７ａ  調節脚の上端部
７ｂ  調節脚の下端部
８  緩み止めナット
８ａ  パイプ径と同径の円盤
９  ジャッキ脚
１０  計量部
１２  計量コンベヤ
１４  送込コンベヤ
１６  振り分け装置のコンベヤ
１８  金属検出器用コンベヤ
【図１】
0003171810.tif 000003
【図２】
0003171810.tif 000004
【図３】
0003171810.tif 000005
【図４】
0003171810.tif 000006